(57)【要約】【課題】  携帯端末等に適した、表裏２画面表示が可能で、かつモジュール容積の小さい表示装置を提供する。【解決手段】  発光素子を有する複数の画素が設けられた発光装置の表裏を挟持するように、第１および第２の遮光用液晶装置が設けられ、そのうち少なくとも一方は、前記発光装置と同一の透明基板上に形成されている。  前記第１および第２の遮光用液晶装置はそれぞれ、透過モードと遮光モードの２つのモードをとり、一方が透過モードの時、他方は遮光モードとなる。  前記発光装置は両面発光型であり、映像信号に従って映像表示を行い、フレーム期間ごとに前記第１および第２の遮光用液晶装置が交互に透過モード、遮光モードをとり、表裏で独立した映像表示を可能とする。【選択図】  なし【特許請求の範囲】
【請求項１】
発光素子を有する複数の画素が設けられた発光装置と、第１および第２の遮光用液晶装置とを有し、
前記発光装置は、絶縁表面を有する透明基板上に形成され、
前記第１および第２の遮光用液晶装置は、互いに前記発光装置の表裏に設けられたことを特徴とする表示装置。
【請求項２】
発光素子を有する複数の画素が設けられた発光装置と、第１および第２の遮光用液晶装置とを有し、
前記発光装置は、絶縁表面を有する透明基板上に形成され、
前記第１および第２の遮光用液晶装置は、互いに前記発光装置の表裏に設けられ、少なくとも一方が、前記発光装置と同一の透明基板上に形成されたことを特徴とする表示装置。
【請求項３】
請求項２において、
前記発光装置と同一の透明基板上に形成された遮光用液晶装置は、前記発光装置が形成された面に積層形成されたことを特徴とする表示装置。
【請求項４】
発光素子を有する複数の画素が設けられた発光装置と、第１および第２の遮光用液晶装置とを有し、
前記発光装置は、絶縁表面を有する第１の透明基板上の第１の面に形成され、
前記第１および第２の遮光用液晶装置のうち一方は、前記第１の透明基板における、前記第１の面と、絶縁表面を有する第２の透明基板との間に形成され、他方は、前記第１の透明基板における、前記第１の面の裏面と、絶縁表面を有する第３の透明基板との間に形成されたことを特徴とする表示装置。
【請求項５】
発光素子を有する複数の画素が設けられた発光装置と、第１および第２の遮光用液晶装置とを有し、
前記発光装置は、絶縁表面を有する第１の透明基板上の第１の面に形成され、
前記第１および第２の遮光用液晶装置のうち一方は、前記第１の透明基板における、前記第１の面と、絶縁表面を有する第２の透明基板との間に形成され、他方は、絶縁表面を有する第３および第４の透明基板との間に形成され、前記第１の透明基板における、前記第１の面の裏面に貼り合わされたことを特徴とする表示装置。
【請求項６】
発光素子を有する複数の画素が設けられた発光装置と、第１および第２の遮光用液晶装置とを有する表示装置において、
前記第１および第２の遮光用液晶装置は、互いに前記発光装置の表裏に設けられ、
前記発光装置は、映像信号にしたがって映像の表示を行い、
前記第１および第２の遮光用液晶装置は、それぞれ透過モードと遮光モードの２つのモードをとることを特徴とする表示装置の駆動方法。
【請求項７】
発光素子を有する複数の画素が設けられた発光装置と、第１および第２の遮光用液晶装置とを有する表示装置において、
前記第１および第２の遮光用液晶装置は、互いに前記発光装置の表裏に設けられ、
前記発光装置は、映像信号にしたがって映像の表示を行い、
前記第１および第２の遮光用液晶装置は、それぞれ透過モード、半透過モード、遮光モードの３つのモードをとることを特徴とする表示装置の駆動方法。
【請求項８】
請求項６において、
前記第１および第２の遮光用液晶装置は、
一方が透過モードの時、他方が遮光モードをとることを特徴とする表示装置の駆動方法。
【請求項９】
請求項６もしくは請求項８において、
前記第１および第２の遮光用液晶装置の遮光モードと透過モードの切り替えは、前記発光装置が映像の表示を行うフレーム期間に同期して行われることを特徴とする表示装置の駆動方法。
【請求項１０】
請求項６もしくは請求項７において、
前記第１および第２の遮光用液晶装置のそれぞれの遮光モードと透過モードの切り替えは、ユーザの操作によって任意のタイミングで行われることを特徴とする表示装置の駆動方法。
【請求項１１】
請求項１乃至請求項５のいずれか１に記載の表示装置、または請求項６乃至請求項８のいずれか１に記載の表示装置の駆動方法を用いたことを特徴とする電子機器。
【発明の詳細な説明】
【技術分野】
【０００１】
本発明は、発光素子を備えた表示装置、特に、携帯電話機、ＰＤＡ等の携帯情報端末等に用いられる表示装置に関する。
【背景技術】
【０００２】
近年、発光装置として、液晶素子を用いた画素を有する液晶ディスプレイ(ＬＣＤ)に代わり、エレクトロルミネッセンス(ＥＬ)素子等を代表とする自発光素子を用いた表示装置の研究開発が進められている。これらの発光装置は、自発光型ゆえの高画質、広視野角、バックライトを必要としないことによる薄型、軽量等の利点を活かして、携帯電話機の表示画面やディスプレイ装置として幅広い利用が期待されている。
【０００３】
また、携帯電話機等においては、その使用目的の多角化によって高付加価値が求められ、最近では、通常の表示面とは別に、サブ表示面を設けたものが提供されている(特許文献１、特許文献２参照)。
【特許文献１】特開２００１−８６２０５号公報
【特許文献２】特開２００１−２８５４４５号公報
【発明の開示】
【発明が解決しようとする課題】
【０００４】
ただし、メインの表示面に加え、サブ表示面を設けた携帯電話機等は、バックライト等を含むモジュールが占める容積に加え、それらを駆動するコントロールＩＣ等を実装した基板等が占める容積も無視できないものになるため、メインの表示面に比べ、サブ表示面ははるかに表示領域の小さいものに限られているのが実状である。特に最近提供されている携帯電話機等は、軽薄短小化が著しく、高付加価値化とのトレードオフとなっている。
【０００５】
本発明は上記の課題に鑑みてなされたものであり、両面で高精細、大画面の表示が可能であり、かつ容積の小さいモジュール化の可能な表示装置を提供することを課題とする。
【課題を解決するための手段】
【０００６】
前述の課題を解決するために、本発明においては以下のような手段を講じた。
【０００７】
従来、携帯電話機等においては、メインの表示面とサブ表示面とは、それぞれ独立した表示装置を用いて実装されていたため、そのモジュール容積が大きいという難点があった。本発明においては、表示装置の画素部として、自発光型の発光素子を用い、１枚の表示装置の両面を表示面とし、かつ表裏で異なる画像の表示を可能とするものである。つまり、２つの表示面に映像を表示するために要する駆動回路は１組で良いため、それらを駆動する外部の表示コントローラも１組で良い。したがって、モジュールの小型化を実現し、かつ高機能な表示装置が提供される。
【０００８】
本発明の構成を以下に記す。
【０００９】
本発明の表示装置は、
発光素子を有する複数の画素が設けられた発光装置と、第１および第２の遮光用液晶装置とを有し、
前記発光装置は、絶縁表面を有する透明基板上に形成され、
前記第１および第２の遮光用液晶装置は、互いに前記発光装置の表裏に設けられたことを特徴とする。
【００１０】
本発明の表示装置は、
発光素子を有する複数の画素が設けられた発光装置と、第１および第２の遮光用液晶装置とを有し、
前記発光装置は、絶縁表面を有する透明基板上に形成され、
前記第１および第２の遮光用液晶装置は、互いに前記発光装置の表裏に設けられ、少なくとも一方が、前記発光装置と同一の透明基板上に形成されたことを特徴とする。
【００１１】
本発明の表示装置は、
前記発光装置と同一の透明基板上に形成された遮光用液晶装置は、前記発光装置が形成された面に積層形成されたことを特徴とする。
【００１２】
本発明の表示装置は、
発光素子を有する複数の画素が設けられた発光装置と、第１および第２の遮光用液晶装置とを有し、
前記発光装置は、絶縁表面を有する第１の透明基板上の第１の面に形成され、
前記第１および第２の遮光用液晶装置のうち一方は、前記第１の透明基板における、前記第１の面と、絶縁表面を有する第２の透明基板との間に形成され、他方は、前記第１の透明基板における、前記第１の面の裏面と、絶縁表面を有する第３の透明基板との間に形成されたことを特徴とする。
【００１３】
本発明の表示装置は、
発光素子を有する複数の画素が設けられた発光装置と、第１および第２の遮光用液晶装置とを有し、
前記発光装置は、絶縁表面を有する第１の透明基板上の第１の面に形成され、
前記第１および第２の遮光用液晶装置のうち一方は、前記第１の透明基板における、前記第１の面と、絶縁表面を有する第２の透明基板との間に形成され、他方は、絶縁表面を有する第３および第４の透明基板との間に形成され、前記第１の透明基板における、前記第１の面の裏面に貼り合わされたことを特徴とする。
【００１４】
本発明の表示装置の駆動方法は、
発光素子を有する複数の画素が設けられた発光装置と、第１および第２の遮光用液晶装置とを有する表示装置において、
前記第１および第２の遮光用液晶装置は、互いに前記発光装置の表裏に設けられ、
前記発光装置は、映像信号にしたがって映像の表示を行い、
前記第１および第２の遮光用液晶装置は、それぞれ透過モードと遮光モードの２つのモードをとることを特徴とする。
【００１５】
本発明の表示装置の駆動方法は、
発光素子を有する複数の画素が設けられた発光装置と、第１および第２の遮光用液晶装置とを有する表示装置において、
前記第１および第２の遮光用液晶装置は、互いに前記発光装置の表裏に設けられ、
前記発光装置は、映像信号にしたがって映像の表示を行い、
前記第１および第２の遮光用液晶装置は、それぞれ透過モード、半透過モード、遮光モードの３つのモードをとることを特徴とする表示装置の駆動方法。
【００１６】
本発明において、
前記第１および第２の遮光用液晶装置は、
一方が透過モードの時、他方が遮光モードをとることを特徴とする。
【００１７】
本発明において、
前記第１および第２の遮光用液晶装置の遮光モードと透過モードの切り替えは、前記発光装置が映像の表示を行うフレーム期間に同期して行われることを特徴とする。
【００１８】
本発明において、
前記第１および第２の遮光用液晶装置のそれぞれの遮光モードと透過モードの切り替えは、ユーザの操作によって任意のタイミングで行われることを特徴とする。
【発明の効果】
【００１９】
本発明によって、メインの表示面、サブ表示面とも、大画面、高精細な表示が得られ、かつモジュール容積の小さい表示装置が実現する。また、各面の表示を通じ、定期的に黒表示が現れるため、動画表示における残像を軽減し、映像の動きがよりシャープに認識される。
【発明を実施するための最良の形態】
【００２０】
本発明の一実施形態を図１に示す。図１(Ａ)において、点線枠１０１で囲まれたモジュールは、表示装置１０２、および表示コントローラ１０３を有する。表示装置１０２は、図１(Ｂ)に示すように、発光装置１１０と、当該発光装置１１０を挟持するように設けられた、第１、第２の遮光用液晶装置１２１、１２２を有する。
【００２１】
発光装置１１０の詳細を図２(Ａ)に示す。基板２００上に、画素部２０１、ソース信号線駆動回路２０２、ゲート信号線駆動回路２０３を有し、各駆動回路の制御信号および、画素部２０１への電流供給は、フレキシブルプリント基板(ＦＰＣ)２０４によってなされる。画素部においては、複数の画素がマトリクス状に配置されており、点線枠２１０で囲まれた部分が１画素に該当する。
【００２２】
画素の構成例を図２(Ｂ)に示す。ソース信号線２１１、ゲート信号線２１２、電流供給線２１３、スイッチング用ＴＦＴ２１４、駆動用ＴＦＴ２１５、保持容量２１７、発光素子２１６、対向電極２１８を有する。
【００２３】
第１、第２の遮光用液晶装置１２１、１２２はそれぞれ、図１(Ｂ)に示すように、発光装置１１０の画素部１２０を全体にわたって覆うことの出来る形状および面積を有する１対の画素電極１２３、１２４に挟持された液晶素子１２５を有し、前記画素電極１２３、１２４に印加される電圧によって、全面にわたって透過モード、もしくは遮光モードの２状態をとる。また、図１(Ｂ)では特に図示していないが、画素電極１２３、１２４の外側に偏光板が設けられていても良い。ただし偏光板を設ける場所はこれに限定しない。
【００２４】
表示装置１０２において、第１の遮光用液晶装置１２１が設けられている面を第１の表示面、第２の遮光用液晶装置１２２が設けられている面を第２の表示面とする。
【００２５】
動作について説明する。一般に、パーソナルコンピュータ等に用いられるＣＲＴ(Cathode Ray Tube：陰極管)型を用いたディスプレイや、ＬＣＤ(液晶ディスプレイ)等の表示装置においては、１秒間に６０回程度、画面の書き換えを行っている。これは、視認者がその書き換え動作を認識することなく、画面のちらつき(フリッカ)を感じないために必要とされている。本発明では、この書き換えを通常の倍とする。回数については特に限定しないが、上記の１秒間に６０回が標準的な例とすると、１秒間に１２０回の書き換えを行う。また、この書き換え周期に同期して、第１、第２の遮光用液晶装置１２１、１２２を駆動する。
【００２６】
このときの様子を図３に示す。例として、１秒間に１２０フレームとした例を示す。フレーム期間の切り替わりに同期して、遮光用液晶装置１２１、１２２の駆動用信号は、Ｈレベル、Ｌレベルを繰り返す。このタイミングにしたがい、第１、第２の遮光用液晶装置１２１、１２２は、それぞれ透過モード、遮光モードの切り替えが行われる。第１、第３、第５、・・・、第１１９フレームにおいては、第１の遮光用液晶装置１２１は透過モードとなり、第２の遮光用液晶装置１２２は遮光モードとなる。第２、第４、第６、・・・、第１２０フレームにおいては、第１の遮光用液晶装置１２１は遮光モードとなり、第２の遮光用液晶装置１２２は透過モードとなる。つまり、第１の遮光用液晶装置１２１を透過して現れる映像は、第１、第３、第５、・・・、第１１９フレーム(合計６０フレーム)を通じて、第１の表示面において視認され、第２の遮光用液晶装置１２２を透過して現れる映像は、第２、第４、第６、・・・、第１２０フレーム(合計６０フレーム)を通じて、第２の表示面において視認されることになる。
【００２７】
続いて、１フレーム期間における動作について説明する。
【００２８】
１フレーム期間は、図３(Ｂ)に示すように、アドレス(書き込み)期間３０１とサステイン(発光)期間３０２とを有する。また、両者の前後には、非表示期間３０３を有する。
【００２９】
アドレス(書き込み)期間３０１においては、ゲート信号線駆動回路によって、第１行目から順に行選択パルスが出力され、選択されている行において、ソース信号線に出力されている映像信号の画素への書き込みを行う。このとき、全行にわたって、発光素子には電流が供給されないようにしておく。例えば、図２(Ｂ)において、電流供給線２１３と対向電極２１８とをほぼ同電位(電位差がある場合には、発光素子のしきい値電圧を上回らない程度の電位差に留める)としておくなどといった方法が挙げられる。
【００３０】
最終行のゲート信号線が選択され、最終行での映像信号の画素への書き込みが終了すると、サステイン(発光)期間３０２に移る。アドレス(書き込み)期間３０１において同電位としていた電流供給線２１３、対向電極２１８の間に電位差を与えることにより、発光素子２１６に電流が流れ、当該フレーム期間が終了するまで発光が持続する。その後、再び非表示期間３０３に入る。
【００３１】
以上の動作を、各フレーム期間において行うことにより映像の表示を行う。ところで、第１、第２の表示面においては、一方で映像表示が行われているフレーム期間は、他方は遮光されているため、黒表示を行っているに等しい。このように、映像表示→黒表示→映像表示→黒表示・・・といった表示をすることにより、動画表示における残像を軽減し、映像の動きがよりシャープに認識される。
【００３２】
なお、遮光用液晶装置１２１、１２２の駆動に関しては、フレーム周波数である１２０Ｈｚ相当の独立した駆動用信号を用いても良いし、表示装置１０２で用いている信号から駆動用信号を生成しても良い。
【実施例１】
【００３３】
本実施例においては、本発明を用いて構成された表示装置を駆動するための駆動回路の構成について説明する。
【００３４】
図４は、主に映像信号として、アナログ形式の映像信号を用いて表示を行うための、ソース信号線駆動回路の構成例を示している。
【００３５】
図４(Ａ)の例では、フリップフロップ４０１を複数段用いてなるシフトレジスタ４０２、ＮＡＮＤ４０３、レベルシフタ４０４、バッファ４０５、サンプリングスイッチ４０６を有している。
【００３６】
動作について説明する。クロック信号(Ｓ−ＣＫ、Ｓ−ＣＫｂ)およびスタートパルス(Ｓ−ＳＰ)にしたがって、シフトレジスタ４０２は順次サンプリングパルスを出力する。連続した２つのサンプリングパルスは、互いにパルスが重複する期間を有する場合があり、そのような場合には、ＮＡＮＤ４０３によって前後のサンプリングパルスと演算を行う。シフトレジスタ４０２の構成によっては、ＮＡＮＤ４０３は必要としない場合もある。
【００３７】
ＮＡＮＤ４０３から出力されたサンプリングパルスは、必要とあればレベルシフタ４０４によって振幅変換を受け、バッファ４０５によって増幅され、サンプリングスイッチ４０６へと入力される。サンプリングスイッチ４０６においては、サンプリングパルスの入力されたタイミングにおいて入力されているアナログ映像信号(Ｖｉｄｅｏ)を取り込み、それぞれのソース信号線Ｓ1〜Ｓnに点順次で出力する。
【００３８】
ここで、レベルシフタ４０４、バッファ４０５については、シフトレジスタ４０２、もしくはＮＡＮＤ４０３自体が、大きな負荷を駆動するだけの能力が十分であれば特に必要としない。
【００３９】
図４(Ｂ)は、基本的な構成は図４(Ａ)と同様であるが、バッファ４０５において、１段あたり複数のサンプリングスイッチ４０６を駆動している点が異なる。このような構成とすると、サンプリングパルスが１つ出力されるタイミングで、同時に複数の列で、映像信号の取り込みを行うことが出来るため、図４(Ａ)の構成と比べ、ソース信号線駆動回路の動作周波数を低くすることが出来る。一般に、１つのサンプリングパルスによって、ｋ本同時に映像信号の取り込みを行うような駆動を、ｋ分割駆動といい、ソース信号線の本数が同じであれば、図４(Ａ)に示した構成に対し、１／ｋの動作周波数で良い。ただし、同時にｋ本の映像信号の取り込みを行うため、並列にｋ本の映像信号の入力が必要となる。
【００４０】
図５は、主に映像信号として、デジタル形式の映像信号を用いて表示を行うための、ソース信号線駆動回路の構成例を示している。
【００４１】
図５(Ａ)の例では、フリップフロップ５０１を複数段用いてなるシフトレジスタ５０２、ＮＡＮＤ５０３、第１のラッチ回路５０４、第２のラッチ回路５０５、Ｄ／Ａ変換回路５０６を有している。
【００４２】
動作について説明する。ただし、シフトレジスタ〜ＮＡＮＤの動作については、図４に示したものと同様であるから、省略する。
【００４３】
サンプリングパルスが入力されるタイミングにしたがって、第１のラッチ回路５０４において、デジタル映像信号(Ｄａｔａ)の取り込みが行われる。ここでは、並列した３つの第１のラッチ回路５０４によって、３ビット分のデジタル映像信号の取り込みが同時に行われる。取り込まれたデジタル映像信号は、第１のラッチ回路５０４のそれぞれにおいて、保持される。
【００４４】
前述の動作が、１列目から順に行われる。最終列の第１のラッチ回路５０４におけるデジタル映像信号の取り込みが終了した後、ラッチ信号(ＬＡＴ)が入力されると、第１のラッチ回路５０４において保持されていたデジタル映像信号は、一斉に第２のラッチ回路５０５へと転送される。その後は、１行分のデジタル映像信号は並列に処理される。
【００４５】
第２のラッチ回路５０５に転送されたデジタル映像信号は、続いてＤ／Ａ変換回路５０６に入力され、Ｄ／Ａ変換を受け、アナログの電圧信号へと変換され、ソース信号線Ｓ1〜Ｓnに出力される。
【００４６】
図５(Ｂ)の例では、デジタル時間階調方式による表示を行う場合の構成について示している。第１のラッチ回路５０４、第２のラッチ回路５０５は１列あたり１つ配置され、デジタル映像信号(Ｄａｔａ)は、１本の信号線より、直列に入力される。例としては、１列目第１ビットデータ→２列目第１ビットデータ→・・・→最終列第１ビットデータ→１列目第２ビットデータ→２列目第２ビットデータ→・・・→最終列第２ビットデータ→・・・→１列目最下位ビットデータ→２列目最下位ビットデータ→・・・→最終列最下位ビットデータといったように入力されるが、この限りではない。なお、各部の動作については、図５(Ａ)と同様であるので、ここでは説明を省略する。
【００４７】
図６は、ゲート信号線駆動回路の構成例を示している。
【００４８】
図６の例では、ソース信号線駆動回路と同様、フリップフロップ６０１を複数段用いてなるシフトレジスタ６０２、ＮＡＮＤ６０３レベルシフタ６０４、バッファ６０５を有している。  ここでも、ソース信号線駆動回路の場合と同様、ＮＡＮＤ６０２、レベルシフタ６０３、バッファ６０４については、必要に応じて設ければ良い。
【００４９】
動作もソース信号線駆動回路の項で説明したのと同様、シフトレジスタ６０２から順次行選択パルスが出力され、ＮＡＮＤ６０３において隣接パルス間での演算を行い、レベルシフタ６０４において振幅変換を受け、バッファ６０５を介して、ゲート信号線Ｇ1〜Ｇmに出力され、１行目から順に選択される。ゲート信号線駆動回路は、前述したソース信号線駆動回路のいずれと組み合わせて使用しても良い。
【実施例２】
【００５０】
本実施例においては、表示装置を制御するための表示コントローラを含む構成について説明する。
【００５１】
図７に、表示装置および表示コントローラの概略を示す。表示装置７０１が有する発光装置７０２、第１、第２の遮光用液晶装置７０３、７０４を駆動する信号および電源は、ディスプレイコントローラ７３０によって供給される。具体的には、ソース側クロック信号(ＳＣＫ)、ソース側スタートパルス(ＳＳＰ)、ラッチ信号(ＬＡＴ)、ゲート側クロック信号(ＧＣＫ)、ゲート側スタートパルス(ＧＳＰ)、駆動回路用電源、発光素子用電源等が供給される。
【００５２】
また、信号制御回路７２０は、ＣＰＵ７２１、メモリコントローラ７２２、メモリＡ７２３、メモリＢ７２４を有し、メモリＡ７２３、メモリＢ７２４の書き込み、読み出しをメモリコントローラ７２２が制御することによって、映像信号(Ｄａｔａ)が読み出され、表示装置７０１に入力される。
【００５３】
ここで、本発明における映像信号のメモリへの書き込み、読み出しの動作について説明する。
【００５４】
本発明においては、図８に示すように、第１の表示面のための映像信号８０１と、第２の表示面のための映像信号８０２が、外部より信号制御回路７２０に順次入力される。ここで、図８においては、映像信号８０１、８０２とも、６０フレーム分の映像信号が示されている。
【００５５】
メモリコントローラ７２２は、メモリＡ７２３、メモリＢ７２４の各々の書き込み、読み出しを制御する。映像信号８０１は、メモリＡ７２３に格納され、映像信号８０２は、メモリＢ７２４に格納される。ここで、メモリＡ７２３、メモリＢ７２４は、少なくとも１フレーム分の映像信号を格納出来るだけの記憶容量を要する。なお、複数フレーム分の映像信号を格納し、フレーム期間ごとに切り替えて読み出しを行っても良い。
【００５６】
双方のメモリへの映像信号の格納が完了した後、メモリコントローラ７２２は、メモリＡ７２３、メモリＢ７２４の読み出しを交互に制御し、映像信号８０１、８０２を１フレームごとに交互に出力する。このような順序で出力される映像信号８０３は、表示装置７０１に入力され、第１、第２の表示面のそれぞれに表示を行う(図３を参照)。
【００５７】
続いて、ディスプレイコントローラ７３０、メモリコントローラ７２２の詳細について説明する。
【００５８】
ディスプレイコントローラ７３０は、図７に示したように、表示装置７０１のソース信号線駆動回路７０５、ゲート信号線駆動回路７０６に、クロック信号やスタートパルスを供給する。また、各駆動回路や発光素子への電源としての役割も有する。
【００５９】
ディスプレイコントローラ７３０は、図９(Ａ)に示すように、分周回路９０１、水平クロック発生回路９０２、垂直クロック発生回路９０３、電源制御回路９０４等を有する。
【００６０】
ＣＰＵからディスプレイコントローラ７３０に入力される信号には、基準クロック信号９１１、水平同期信号９１２、垂直同期信号９１３等がある。基準クロック信号９１１より、分周回路９０１によって所望の周波数のクロック信号が生成され、水平クロック発生回路９０２、垂直クロック発生回路９０３に入力される。
【００６１】
水平同期信号９１２は、水平クロック発生回路９０２に入力され、水平クロック発生回路９０２は、入力された信号を元に、ソース側クロック信号(ＳＣＫ)、ソース側スタートパルス(ＳＳＰ)を生成する。
【００６２】
垂直同期信号９１３は、垂直クロック発生回路９０３に入力され、垂直クロック発生回路９０３は、入力された信号を元に、ゲート側クロック信号(ＧＣＫ)、ゲート側スタートパルス(ＧＳＰ)を生成する。またここでは、垂直同期信号９１３を元に、遮光用液晶装置駆動信号(ＬＣＤ  Ｃｔｒｌ．)を生成している。
【００６３】
また、電源制御回路９０４には、基準電源９１４が入力され、ソース信号線駆動回路用電源、ゲート信号線駆動回路用電源、発光素子駆動用電源等が生成される。
【００６４】
メモリコントローラ７２２は、図９(Ｂ)に示すように、分周回路９２１、メモリＲ／Ｗ制御回路９２２、Ｘカウンタ９２３、９２５、Ｙカウンタ９２４、９２６、Ｘデコーダ９２７、９２９、Ｙデコーダ９２８、９３０等を有する。
【００６５】
ＣＰＵからメモリコントローラ７２２に入力される信号には、基準クロック信号９１１、垂直同期信号９１３等がある。基準クロック９１１より、分周回路９２１によって所望の周波数のクロック信号が生成され、Ｘカウンタ９２３、９２５、Ｙカウンタ９２４、９２６を制御し、Ｘデコーダ９２７、９２９、Ｙデコーダ９２８、９３０によって、各メモリのＸアドレス、Ｙアドレスを選択する。これにしたがい、各メモリの所望のアドレスについて、映像信号の書き込み、読み出しを行う。
【００６６】
また、メモリＲ／Ｗ制御回路９２２は、垂直同期信号９１３にしたがって、フレーム期間ごとに、映像信号の読み出しを行うメモリの選択を行う。
【００６７】
ここでは、遮光用液晶装置駆動信号(ＬＣＤ  Ｃｔｒｌ．)およびメモリＲ／Ｗ制御信号は、フレーム期間を基準として切り替えを行うことから、垂直同期信号を利用してタイミングを制御しているが、特にこの手法に限定はしない。他にも、ゲート側スタートパルスを利用しても良いし、外部から独立した制御信号が入力されても構わない。
【実施例３】
【００６８】
本発明の表示装置の断面構成について説明する。
【００６９】
図１３(Ａ)に断面図を示す。基板５００１上に、下地膜５００２が形成され、その上にＴＦＴ５００３〜５００５が形成されている。ここで、ＴＦＴ５００３、５００４はそれぞれＮ型ＴＦＴ、Ｐ型ＴＦＴであり、一対でＣＭＯＳを構成している。ＴＦＴ５００５は、発光素子への電流供給を制御する駆動用ＴＦＴに該当する。なお、５００６はゲート絶縁膜である。ここでは、ＴＦＴが形成されていない領域にもゲート絶縁膜が形成されているが、ＴＦＴが形成されていない領域は、パターニング時に除去しても良い。
【００７０】
ＴＦＴ５００３〜５００５を覆うように、第１の層間絶縁膜５００７および、平坦化膜５００８が形成されている。第１の層間絶縁膜５００７の膜厚が十分であり、かつ平坦性に優れた材料を用いる場合には、平坦化膜５００８は特に必要ない。平坦化された表面上の所望の箇所にコンタクトホールを開口し、配線５００９を形成する。
【００７１】
次いで、ＴＦＴ５００５のドレイン配線と接するように、画素電極５０１０を形成する。画素電極５０１０は、透光性が求められるので、ＩＴＯ等をはじめとする、透明導電性材料にて形成するのが望ましい。
【００７２】
画素電極５０１０の形成後、発光素子の隔壁となるエッジカバー膜５０１１を形成し、後に発光領域となる箇所を開口後、発光層５０１２を形成する。発光層５０１２の形成手段として、蒸着によるもの、インクジェット法での塗布によるもの等、多種の手段が挙げられるが、特に限定しない。
【００７３】
発光層５０１２を覆うように、対向電極５０１３を形成する。対向電極５０１３においても透光性が求められるので、透明導電性材料にて形成するのが望ましい。
【００７４】
ところで、先の画素電極５０１０、対向電極５０１３について、一方は発光素子の陽極、他方は陰極となる。一般に陽極は、ホールの放出性に優れた仕事関数の大きい材料を、陰極は、電子の放出性に優れた仕事関数の小さい材料を用いるのが望ましいとされている。この場合、陰極側での透光性と電子放出性を両立させる方法として、ごく薄い金属膜によって陰極を形成する方法がある。このような方法によると、膜厚が非常に薄いため、発光層５０１２から出射された光は、膜を透過して外部に現れる。さらに、金属膜と積層して、透明導電性材料を形成し、厚みを持たせることで、配線抵抗を低減しても良い。
【００７５】
対向電極５０１３の形成後、発光層５０１２への水分等の浸入を防ぐため、バリア層５０１４等を設けると良い。以上の工程により、発光装置５１００が完成する。
【００７６】
続いて、バリア層５０１４上に、第２の平坦化膜５０１５を形成し、平坦化された表面上に、液晶用画素電極５０１６を形成する。遮光用液晶装置は、表示部全面において透過モード、遮光モードをとれば良いので、液晶用画素電極５０１６は、表示部全面に一様に形成されれば良い。
【００７７】
次いで、基板５０２０を用意する。基板５０２０上に、液晶用画素電極５０１９を形成する。その後、先の液晶用画素電極５０１６と対向するように、スペーサ５０１７を介して両者を貼り合わせる。その後、空隙となった部分に液晶材料５０１８を注入し、注入口を封止して、第１の遮光用液晶装置５２００が完成する。
【００７８】
一方、基板５００１に対し、前述の素子群が形成された裏面に、液晶用画素電極５０２１を形成する。直接基板５００１上に形成しても良いし、特に図示はしないが、最初に他の基板上に形成後、転写する等の手順をふんでも良い。
【００７９】
第１の遮光用液晶装置５２００の場合と同様に、基板５０２５を用意する。基板５０２５上に、液晶用画素電極５０２４を形成する。その後、先の液晶用画素電極５０２１と対向するように、スペーサ５０２２を介して両者を貼り合わせる。その後、空隙となった部分に液晶材料５０２３を注入し、注入口を封止して、第２の遮光用液晶装置５３００が完成する。以上の工程により、表示装置全体を完成する。
【００８０】
なお、第２の遮光用液晶装置５３００については、図１３(Ｂ)に示すように、基板５０２５、５０５０を用いて、独立して形成しても良い。さらに、第１の遮光用液晶装置５２００についても、発光装置５１００とは別の基板上に独立して形成しても良い。ただし、表示装置全体の厚さを抑えるためには、第１の遮光用液晶装置５２００と第２の遮光用液晶装置５３００のうちの少なくとも一方は、前述のとおり、発光装置５１００上に積層するように形成するのが望ましいが、表示装置を用いて作製される機器のサイズ等を考慮し、適宜作製方法は選択すれば良い。
【実施例４】
【００８１】
図１１に、従来の表示装置を用いて、メイン表示とサブ表示を行うことの出来る携帯電話機の例を、図１２に、本発明の表示装置を用いて、メイン表示とサブ表示を行うことの出来る携帯電話機の例を示す。なお、両者の違いを端的に表現出来るよう、共通部分については全くの同構成として図示した。
【００８２】
図１１に示す携帯電話機は、第１の筐体１１０１、第２の筐体１１０８を有し、折りたたみが可能な形状となっている。第１の筐体１１０１には、第１の表示装置(メイン表示用)１１０２、第２の表示装置(サブ表示用)１１０３が内蔵され、それぞれの表示装置は、表示コントローラ１１０４、１１０５によって制御されている。さらに第１の筐体１１０１には、スピーカ１１０６、アンテナ１１０７が設けられている。
【００８３】
第２の筐体１１０８には、本体駆動用モジュール１１０９、操作ボタンモジュール１１１０、マイクロホン１１１２、バッテリー１１１３が内蔵されている。第１の筐体１１０１と第２の筐体１１０８は、互いがヒンジ１１１１を介して接続されている。
【００８４】
このとき、第１の表示領域は１１５１で示され、第２の表示領域は１１５２で示される。また、表示装置が設けられた側の筐体、すなわち第１の筐体１１０１の厚さをＴ１で示している。
【００８５】
図１２に示す携帯電話機は、同じく第１の筐体１１３１、第２の筐体１１０８を有する。第２の筐体１１０８側の構成は、図１１に示した従来例と同様であるので説明は省略する。本発明の表示装置１１３２は、唯１つの表示コントローラ１１３３によって制御されている。また、第１の表示領域は１１６１で示され、第２の表示領域は１１６２で示されている。また、表示装置が設けられた側の筐体、すなわち第１の筐体１１３１の厚さをＴ２で示している。
【００８６】
両者において、第２の表示領域のサイズを比較すると、はるかに本発明の表示装置を用いたばあいの方が大画面化に適しているといえる。さらに、第１の筐体の厚さも、メイン表示とサブ表示とを独立した２つの表示装置によって提供している従来例のＴ１に比べ、本発明の表示装置を用いた場合のＴ２は、はるかに薄型を達成出来ることがわかる。
【００８７】
以上のように、本発明の表示装置は、特に携帯電話機等の携帯情報端末の小型化、高機能化に大きく貢献することが出来る。
【実施例５】
【００８８】
実施例１、および実施例２においては、第１、第２の表示面において、同時に独立した映像表示を行う構成および方法について述べてきた。これは、実施例４で示した形状を有する携帯情報端末を挟んで、両側から複数の人間が画面を見る場合等を対象としている。一方、個人用途の割合が多い携帯電話等では、１人のユーザが同時に両面を使用することは考えられない。
【００８９】
例えば、メール送受信等の用途においては、ユーザにとっては第１の表示面のみを用いて映像の表示がされていれば、第２の表示面では特に映像表示は必要ない。むしろ、プライバシー保護の観点からすると、ユーザが一方の表示面を見ているとき、他方の表示面には何も表示されないことが望ましい場合も考えられる。
【００９０】
このような場合には、図１(Ｂ)において、第１の遮光用液晶装置１２１は常に透過モードとしておき、反対に第２の遮光用液晶装置１２２を常に遮光モードとして、発光装置１１０には、第１の表示面にのみ映像表示を行うように信号入力すれば良い。同様の方法で、第２の表示面のみに映像表示をさせ、第１の表示面は何も表示させないようにすることも出来る。
【００９１】
また、図１(Ａ)に例を示したような折りたたみ式の携帯情報端末においては、筺体を閉じた状態で背面側の表示面を使用する際には、内側の表示面は目に触れないので、遮光用液晶装置のモード切替等に関しては特にここでは限定しない。ただし、透過モードとなっている場合、表示装置１０２の透過率によっては、表示面の向こう側が透過してしまう可能性もあるため、内側の表示面の遮光用液晶装置は遮光モードとしておくのが好ましい。
【００９２】
以上の方法によって、従来の表示装置を用いた携帯情報端末と全く同様の用途として、本発明の表示装置への置き換えも容易である。
【００９３】
なおこの場合は、表示期間全てにおいて、第１の表示面のみの表示を行うため、実施の最良の形態で述べたように、フレーム周波数を１２０Ｈｚとする必要は特に無い。
【実施例６】
【００９４】
本発明の表示装置において、発光装置の表裏に設けられた第１、第２の遮光用液晶装置は、実施の最良の形態、および他の実施例においては、表示する映像、使用形態等に応じてそれぞれ自動的に透過モード、遮光モードが選択されることが好ましいが、ユーザがその透過モード、遮光モードを自由に設定できるようにしても良い。
【００９５】
また、第１、第２の遮光用液晶装置は、その透過モードと遮光モードの制御は、従来の液晶表示装置と同様、液晶素子を挟持した１対の電極間に電位差を与えることによって行っている。よって、１対の電極間に印加する電圧を制御することにより、透過モード、遮光モードの他、半透過モード等の設定も容易である。このようなモードは、例えば画面のコントラスト調整に用いることが出来る。勿論、用途はこれに限定されない。
【実施例７】
【００９６】
本発明の表示装置には様々な用途がある。本実施例では、本発明の適用が可能な電子機器の例について説明する。
【００９７】
図１０(Ａ)は携帯電話機であり、筐体１０００、第１の表示面１００１、操作ボタン１００２、１００４、第２の表示面１００３、レンズ１００５等を有する。本発明の表示装置は第１の表示面１００１、第２の表示面１００２にて用いることが出来る。１枚の表示装置で基板表・裏の２方向への表示が可能なため、図１０(Ａ)に示すように、両面に表示部を設けた場合にも、筐体１０００の厚さを抑えることが可能となる。
【００９８】
使用例として、端末を開いた場合、第１の表示面１００１を主に表示面として使用する。このときの画面操作は、操作ボタン１００２によって行う。端末が閉じられている状態において主に用いる第２の表示面１００２は、従来はスペースの関係上、サイズの小さなものしか内蔵出来なかったが、本発明によって、第１の表示面１００１と同等の表示サイズを有する第２の表示面１００２を用いて、メール、Ｗｅｂページ等の閲覧が可能となる。閉じた状態での操作は、操作ボタン１００４によって行う。
【００９９】
また、最近ではデジタルカメラ搭載の携帯電話機等が普及しているが、レンズ１００５を手前に向けた状態での撮影時にも、表示領域の広い第２の表示面１００２でモニタしながらの撮影が可能となる。
【０１００】
図１０(Ｂ)はパーソナルコンピュータであり、筐体１０１１、ポインティングデバイス１０１２、表示部１０１３、キーボード１０１４等を含む。本発明の表示装置は表示部１０１３にて用いることが出来る。このような用途の場合、表示部を閉じた状態で、タブレット型のコンピュータとして使用することが出来る。
【０１０１】
図１０(Ｃ)は携帯情報端末であり、本体１０２１、スタイラス１０２２、表示部１０２３、操作ボタン１０２４、外部インターフェイス１０２５等を含む。本発明の表示装置は表示部１０２３にて用いることが出来る。
【０１０２】
以上の様に、本発明の適用範囲は極めて広く、あらゆる分野の電子機器に用いることが可能である。また、本実施例の電子機器は実施例１〜実施例４に示したいずれの構成と組み合わせて適用しても良い。
【図面の簡単な説明】
【０１０３】
【図１】本発明の一実施形態を示す図。
【図２】画素部に発光素子を用いた、一般的な表示装置の構成を示す図。
【図３】本発明の表示装置における表示のタイミングを説明する図。
【図４】ソース信号線駆動回路の構成例を示す図。
【図５】ソース信号線駆動回路の構成例を示す図。
【図６】ゲート信号線駆動回路の構成例を示す図。
【図７】表示コントローラを含むモジュールの構成例を示す図。
【図８】映像信号の読み出し、書き込み手順の概略を示す図。
【図９】ディスプレイコントローラ、メモリコントローラの構成例を示す図。
【図１０】本発明が適用可能な電子機器の例を示す図。
【図１１】従来型の携帯電話機の断面図。
【図１２】本発明を携帯電話機に適用した場合の断面図。
【図１３】本発明の表示装置の断面構成を示す図。
【図１】
2004199033.tif 000002
【図２】
2004199033.tif 000003
【図３】
2004199033.tif 000004
【図４】
2004199033.tif 000005
【図５】
2004199033.tif 000006
【図６】
2004199033.tif 000007
【図７】
2004199033.tif 000008
【図８】
2004199033.tif 000009
【図９】
2004199033.tif 000010
【図１０】
2004199033.tif 000011
【図１１】
2004199033.tif 000012
【図１２】
2004199033.tif 000013
【図１３】
2004199033.tif 000014